(57)【要約】【課題】  布巻取り作業と布取外し作業の安全性を高めることができる高脚高速布巻取り機の布取外し装置の提供。【解決手段】  布取外し装置は、安全ピンの増設により伝動輪と巻取りロッドの巻軸の接続関係が強化され、これにより布巻取り作業の安全性を高めている。このほか、安全ピンと巻取りロッドの巻軸の接続或いは離脱の方式は、操作ハンドルの操作により達成され、その操作は相当に快速で簡便である。このほか、油圧シリンダにより支持フレームをゆっくりと回転させる緩衝力が提供され、支持フレームの下降速度が過度に速くなることが防止され、これにより布取外し作業の安全性が高められる。【選択図】        図１
2007008600.tif 000002
【特許請求の範囲】
【請求項１】
高脚高速布巻取り機（１００）に適用される高脚高速布巻取り機の布取外し装置であって、該高脚高速布巻取り機（１００）は少なくとも二つの相互に対応するサイドボックス（１１０）、巻取りロッド（１２０）及び二つの伝動輪（１３０）を包含し、そのうち巻取りロッド（１２０）の両端に巻軸（１２１）が凸設され、伝動輪（１３０）の輪面に嵌め溝（１３１）が設けられ、且つ該嵌め溝（１３１）の一端が伝動輪（１３０）の側端と連通し、該巻取りロッド（１２０）の巻軸（１２１）が嵌め溝（１３１）により伝動輪（１３０）に嵌装され、並びに伝動輪（１３０）の駆動により巻取りロッド（１２０）が両側のサイドボックス（１１０）の間で回転し、布を巻き取る、高脚高速布巻取り機の布取外し装置において、
一対の操作ハンドル（１４０）が、両側のサイドボックス（１１０）に配置され、操作ハンドル（１４０）は位置決め端（１４１）と位置決め端（１４１）と反対側に位置する可動端（１４２）を具え、そのうち位置決め端（１４１）がサイドボックス（１１０）内に固定され、可動端（１４２）はサイドボックス（１１０）に開設された横向き開放溝（１１１）を通りサイドボックス（１１０）外部に突出し、
一対の安全ピン（１５０）が、対応する伝動輪（１３０）を貫通し、且つその一端が操作ハンドル（１４０）に固定され、別端は操作ハンドル（１４０）の可動端（１４２）の回転により相対位置が改変され、
軸棒（１６０）が両側のサイドボックス（１１０）の間に枢設され、
一対の支持フレーム（１７０）の一端が軸棒（１６０）に固定され、別端に縦向きノッチ（１７１）が設けられ、巻取りロッド（１２０）の巻軸（１２１）上に跨設され、
一対の油圧シリンダ（１８０）が、両側のサイドボックス（１１０）に配置され、油圧シリンダ（１８０）の一端がサイドボックス（１１０）に枢設され、且つ油圧シリンダ（１８０）は油圧シリンダに対して出入するピストンロッド（１８１）を具え、且つピストンロッド（１８１）が油圧シリンダ（１８０）の一端より露出して支持フレーム（１７０）に枢設され、安全ピン（１５０）により伝動輪（１３０）と巻取りロッド（１２０）の巻軸（１２１）の接続関係が強化されて、布巻取り作業の安全性が向上され、並びに油圧シリンダ（１８０）が支持フレーム（１７０）をゆっくりと回転させる緩衝力により、布取外し作業の安全性が向上されたことを特徴とする、高脚高速布巻取り機の布取外し装置。
【請求項２】
請求項１記載の高脚高速布巻取り機の布取外し装置において、位置決めボルト（１１２）を更に包含し、該位置決めボルト（１１２）は移動可能な方式で一方のサイドボックス（１１０）に配置され、伝動輪（１３０）の側端に位置決め孔（１３２）が開設され、布取外し作業を行う時、該位置決めボルト（１１２）が位置決め孔（１３２）中に挿入され、伝動輪（１３０）の嵌め溝（１３１）が横方向において位置決めされ、伝動輪（１３０）の回転が制限され、並びに巻取りロッド（１２０）の巻軸（１２１）の伝動輪（１３０）の嵌め溝（１３１）からの離脱に便利とされたことを特徴とする、高脚高速布巻取り機の布取外し装置。
【請求項３】
請求項１記載の高脚高速布巻取り機の布取外し装置において、第１リミットスイッチ（１１３）を更に包含し、該第１リミットスイッチ（１１３）は一方のサイドボックス（１１０）内に配置され、且つ布巻取り作業を行う時、それは続けて操作ハンドル（１４０）と接触し、布取外し作業を行う時、操作ハンドル（１４０）の可動端（１４２）が回されて操作ハンドル（１４０）と第１リミットスイッチ（１１３）が分離されることにより、電源を自動切断して布取外し作業の安全性を高めることを特徴とする、高脚高速布巻取り機の布取外し装置。
【請求項４】
請求項１記載の高脚高速布巻取り機の布取外し装置において、第２リミットスイッチ（１１４）を更に包含し、該第２リミットスイッチ（１１４）は一方のサイドボックス（１１０）内に配置され、且つ布巻取り作業を行う時、それは続けてそのうち一つの支持フレーム（１７０）と接触し、布取外し作業を行う時、巻取りロッド（１２０）が回されることで支持フレーム（１７０）と第２リミットスイッチ（１１４）が分離し、電源を自動切断して布取外し作業の安全性を高めることを特徴とする、高脚高速布巻取り機の布取外し装置。
【発明の詳細な説明】
【技術分野】
【０００１】
本発明は一種の布巻取り機の布取外し装置に係り、特に、布巻取り作業と布取外し作業の安全性を高めることができる高脚高速布巻取り機の布取外し装置に関する。
【背景技術】
【０００２】
現在、ニッティングマシンで編成完成した布は、布巻取り機により巻き取られる。一般に小型の布巻取り機は直径２０インチ程度までしか布を巻き取れず、このため布巻取り量が小さいため次第に淘汰され、布巻取り量を増す要求に基づき、現在業界では高脚高速布巻取り機が開発され、その巻取れる布は直径４６インチ程度とされ、広く使用されている。
【０００３】
一般に見られる高脚高速布巻取り機は、二つの相互に対応するサイドボックス、布を提供する輸送装置、布を巻き取る巻取り装置、及び布を取り外す布取外し装置で構成されている。そのうち、輸送装置は複数の回転ロッドで構成され、これら回転ロッドが両側のサイドボックス間の上方部分に枢設され、並びに布を巻取り装置へと送る。巻き取り装置は二つの伝動輪と一つの巻取りロッドで構成され、そのうち二つの伝動輪は両側のサイドボックスの中段部分に取り付けられ、且つ各伝動輪の輪面に嵌め溝が開設され、この嵌め溝は並びに輪面の側端と連通し、巻取りロッドの両端よりそれぞれ巻軸が突出し、且つ巻軸が嵌め溝中に嵌め込まれて伝動輪と接続され、伝動輪により巻取りロッドが駆動されて回転し、これにより布巻取り作業が行われる。布取外し装置は軸棒と二つの支持フレームで構成され、そのうち軸棒は両側のサイドボックス間の底部に枢設され、支持フレームの一端は巻取りロッドの巻軸上に跨設され、且つ軸棒の回転により支持フレームが巻取りロッドを駆動し下に移動させる。
【０００４】
周知の高脚高速布巻取り機には以下のような改善すべき問題がある。
１．巻取りロッドの巻軸が伝動輪の嵌め溝内に嵌装される方式で伝動輪と接続され、その接続効果は比較的悪く、巻取り作業時に、巻取りロッドの回転速度が引き上げられると、巻取りロッドが伝動輪より離脱する危険がある。
２．現在、布取外し作業は手作業の方式で巻取りロッドを取り外すが、巻取りロッド上の布は既に相当な重量を有するため、支持フレームの下降速度が速くなりすぎ、作業員を圧傷する危険がある。ゆえに周知の技術はリフターの補助により巻取りロッドを取り外すが、リフターの使用は作業時に作業員を圧傷させる問題を解決するものの、リフターは一定の体積を有するため、工場内にリフターが行進するための路線を保留しなければならず、布巻取り機の設置の数量を制限することになり、このことは直接全体の生産能力に影響を与える。
【発明の開示】
【発明が解決しようとする課題】
【０００５】
これにより、本発明の目的は一種の高脚高速布巻取り機の布取外し装置を提供することにあり、それは布巻取り作業の過程では、伝動輪と巻取りロッドの接続関係を強化して巻取り作業の安全性を高めることができ、さらに、布取外し作業の過程では、支持フレームが巻取りロッドを下降させる回転速度を低減し、布取外し作業の安全性を向上できるものとする。
【０００６】
上述の目的を達成するため、本発明は一種の高脚高速布巻取り機の布取外し装置を提供し、それは一対の操作ハンドル、一対の安全ピン、一つの軸棒、一対の支持フレーム、及び一対の油圧シリンダで構成される。そのうち、この一対の操作ハンドルは、布巻取り機の相互に対応する両側のサイドボックスに配置され、各操作ハンドルは位置決め端と位置決め端と反対側に位置する可動端を具え、そのうち位置決め端がサイドボックス内に固定され、可動端はサイドボックスに開設された横向き開放溝を通りサイドボックス外部に突出する。安全ピンは対応する伝動輪を貫通し、且つその一端が操作ハンドルに固定され、別端は操作ハンドルの可動端の回転により相対位置が改変され、巻取りロッドの巻軸と接続されるか或いは巻軸より離脱される。軸棒は両側のサイドボックスの間に枢設され、支持フレームの一端が軸棒に固定され、支持フレームの別端に縦向きノッチが設けられ、巻取りロッドの巻軸上に跨設される。油圧シリンダは、両側のサイドボックスに配置され、油圧シリンダの一端がサイドボックスに枢設され、且つ油圧シリンダは油圧シリンダに対して出入するピストンロッドを具え、且つピストンロッドが油圧シリンダの一端より露出して支持フレームに枢設され、油圧シリンダが支持フレームをゆっくりと回転させる緩衝力を提供する。
【課題を解決するための手段】
【０００７】
請求項１の発明は、高脚高速布巻取り機（１００）に適用される高脚高速布巻取り機の布取外し装置であって、該高脚高速布巻取り機（１００）は少なくとも二つの相互に対応するサイドボックス（１１０）、巻取りロッド（１２０）及び二つの伝動輪（１３０）を包含し、そのうち巻取りロッド（１２０）の両端に巻軸（１２１）が凸設され、伝動輪（１３０）の輪面に嵌め溝（１３１）が設けられ、且つ該嵌め溝（１３１）の一端が伝動輪（１３０）の側端と連通し、該巻取りロッド（１２０）の巻軸（１２１）が嵌め溝（１３１）により伝動輪（１３０）に嵌装され、並びに伝動輪（１３０）の駆動により巻取りロッド（１２０）が両側のサイドボックス（１１０）の間で回転し、布を巻き取る、高脚高速布巻取り機の布取外し装置において、
一対の操作ハンドル（１４０）が、両側のサイドボックス（１１０）に配置され、操作ハンドル（１４０）は位置決め端（１４１）と位置決め端（１４１）と反対側に位置する可動端（１４２）を具え、そのうち位置決め端（１４１）がサイドボックス（１１０）内に固定され、可動端（１４２）はサイドボックス（１１０）に開設された横向き開放溝（１１１）を通りサイドボックス（１１０）外部に突出し、
一対の安全ピン（１５０）が、対応する伝動輪（１３０）を貫通し、且つその一端が操作ハンドル（１４０）に固定され、別端は操作ハンドル（１４０）の可動端（１４２）の回転により相対位置が改変され、
軸棒（１６０）が両側のサイドボックス（１１０）の間に枢設され、
一対の支持フレーム（１７０）の一端が軸棒（１６０）に固定され、別端に縦向きノッチ（１７１）が設けられ、巻取りロッド（１２０）の巻軸（１２１）上に跨設され、
一対の油圧シリンダ（１８０）が、両側のサイドボックス（１１０）に配置され、油圧シリンダ（１８０）の一端がサイドボックス（１１０）に枢設され、且つ油圧シリンダ（１８０）は油圧シリンダに対して出入するピストンロッド（１８１）を具え、且つピストンロッド（１８１）が油圧シリンダ（１８０）の一端より露出して支持フレーム（１７０）に枢設され、安全ピン（１５０）により伝動輪（１３０）と巻取りロッド（１２０）の巻軸（１２１）の接続関係が強化されて、布巻取り作業の安全性が向上され、並びに油圧シリンダ（１８０）が支持フレーム（１７０）をゆっくりと回転させる緩衝力により、布取外し作業の安全性が向上されたことを特徴とする、高脚高速布巻取り機の布取外し装置としている。
請求項２の発明は、請求項１記載の高脚高速布巻取り機の布取外し装置において、位置決めボルト（１１２）を更に包含し、該位置決めボルト（１１２）は移動可能な方式で一方のサイドボックス（１１０）に配置され、伝動輪（１３０）の側端に位置決め孔（１３２）が開設され、布取外し作業を行う時、該位置決めボルト（１１２）が位置決め孔（１３２）中に挿入され、伝動輪（１３０）の嵌め溝（１３１）が横方向において位置決めされ、伝動輪（１３０）の回転が制限され、並びに巻取りロッド（１２０）の巻軸（１２１）の伝動輪（１３０）の嵌め溝（１３１）からの離脱に便利とされたことを特徴とする、高脚高速布巻取り機の布取外し装置としている。
請求項３の発明は、請求項１記載の高脚高速布巻取り機の布取外し装置において、第１リミットスイッチ（１１３）を更に包含し、該第１リミットスイッチ（１１３）は一方のサイドボックス（１１０）内に配置され、且つ布巻取り作業を行う時、それは続けて操作ハンドル（１４０）と接触し、布取外し作業を行う時、操作ハンドル（１４０）の可動端（１４２）が回されて操作ハンドル（１４０）と第１リミットスイッチ（１１３）が分離されることにより、電源を自動切断して布取外し作業の安全性を高めることを特徴とする、高脚高速布巻取り機の布取外し装置としている。
請求項４の発明は、請求項１記載の高脚高速布巻取り機の布取外し装置において、第２リミットスイッチ（１１４）を更に包含し、該第２リミットスイッチ（１１４）は一方のサイドボックス（１１０）内に配置され、且つ布巻取り作業を行う時、それは続けてそのうち一つの支持フレーム（１７０）と接触し、布取外し作業を行う時、巻取りロッド（１２０）が回されることで支持フレーム（１７０）と第２リミットスイッチ（１１４）が分離し、電源を自動切断して布取外し作業の安全性を高めることを特徴とする、高脚高速布巻取り機の布取外し装置としている。
【発明の効果】
【０００８】
本発明の高脚高速布巻取り機の布取外し装置は、安全ピンの増設により伝動輪と巻取りロッドの巻軸の接続関係が強化され、これにより布巻取り作業の安全性を高めている。このほか、安全ピンと巻取りロッドの巻軸の接続或いは離脱の方式は、操作ハンドルの操作により達成され、その操作は相当に快速で簡便である。このほか、油圧シリンダにより支持フレームをゆっくりと回転させる緩衝力が提供され、支持フレームの下降速度が過度に速くなることが防止され、これにより布取外し作業の安全性が高められる。
【発明を実施するための最良の形態】
【０００９】
図１、２、３を参照されたい。本発明の高脚高速布巻取り機（１００）の布取外し装置は、布巻き取り量が比較的高い高脚高速布巻取り機（１００）に適用される。本実施例では、布巻取り機（１００）は二つの相互に対応するサイドボックス（１１０）、巻取りロッド（１２０）、及び二つの伝動輪（１３０）で構成される。そのうち、巻取りロッド（１２０）の両端に中空の巻軸（１２１）が凸設され、伝動輪（１３０）の輪面に嵌め溝（１３１）が設けられ、且つ該嵌め溝（１３１）のそのうちの一端が伝動輪（１３０）の側端と連通し、該巻取りロッド（１２０）の巻軸（１２１）の外形は嵌め溝（１３１）の形状と相互に符合し（特に矩形の形態とされるのがよい）、並びに嵌め溝（１３１）に嵌装されて伝動輪（１３０）と接続され、伝動輪（１３０）自身は変速機構（図示せず）の駆動により巻取りロッド（１２０）を駆動して両側のサイドボックス（１１０）間で回転させ、布を巻き取らせる。
【００１０】
布取外し装置は一対の操作ハンドル（１４０）、一対の安全ピン（１５０）、一つの軸棒（１６０）、一対の支持フレーム（１７０）及び一対の油圧シリンダ（１８０）で構成されている。二つの操作ハンドル（１４０）が、両側のサイドボックス（１１０）に配置され、操作ハンドル（１４０）は位置決め端（１４１）と位置決め端（１４１）と反対側に位置する可動端（１４２）を具え、そのうち位置決め端（１４１）がサイドボックス（１１０）内部に固定され、可動端（１４２）はサイドボックス（１１０）に開設された横向き開放溝（１１１）を通りサイドボックス（１１０）外部に突出する。二つの安全ピン（１５０）は、対応する伝動輪（１３０）を貫通し、且つ各安全ピン（１５０）の一端が操作ハンドル（１４０）に固定され、別端は常態で巻取りロッド（１２０）の巻軸（１２１）を貫通し、巻取りロッド（１２０）と相互に接続されている。軸棒（１６０）は両側のサイドボックス（１１０）の間に枢設され、且つややサイドボックス（１１０）の底部に偏っている。二つの支持フレーム（１７０）は巻取りロッド（１２０）と軸棒（１６０）の間にあって対称に配置される。各支持フレーム（１７０）の一端は軸棒（１６０）に固定され、別端に縦向きノッチ（１７１）が設けられ、巻取りロッド（１２０）の巻軸（１２１）上に跨設される。二つの油圧シリンダ（１８０）は両側のサイドボックス（１１０）に配置され、油圧シリンダ（１８０）の一端はサイドボックス（１１０）に枢設され、且つ油圧シリンダ（１８０）は油圧シリンダに対して出入するピストンロッド（１８１）を具え、且つピストンロッド（１８１）が油圧シリンダ（１８０）の一端より露出して支持フレーム（１７０）に枢設されている。
【００１１】
以上の構造から分かるように、布巻取り作業を行う時、安全ピン（１５０）は常態で巻取りロッド（１２０）の巻軸（１２１）内に挿入され、これにより巻取りロッド（１２０）の巻軸（１２１）と伝動輪（１３０）の接続関係が強化される。言い換えると巻取りロッド（１２０）の巻軸（１２１）は嵌め溝（１３１）により伝動輪（１３０）に嵌装されるほか、安全ピン（１５０）の設計により、巻取りロッド（１２０）の巻取り過程中の伝動輪（１３０）との離脱の情況を防止でき、布巻取り作業の安全性を高める。
【００１２】
このほか、図３に示されるように、いずれか一方のサイドボックス（１１０）の伝動輪（１３０）に近隣の位置に、移動可能な位置決めボルト（１１２）が配置され、伝動輪（１３０）の側端に位置決め孔（１３２）が開設され、布取外し作業を行う時、該位置決めボルト（１１２）が位置決め孔（１３２）中に挿入されて伝動輪（１３０）の回転を制限し、並びに伝動輪（１３０）の嵌め溝（１３１）が横方向において位置決めされ、布取外し作業時に巻取りロッド（１２０）の巻軸（１２１）を伝動輪（１３０）の嵌め溝（１３１）中より容易に取り外すことができる。
【００１３】
続いて、布取外し作業のフローについて詳細に説明する。図４から図６を参照されたい。布取外し作業を行う時、先ず、位置決めボルト（１１２）を位置決め孔（１３２）中に挿入して伝動輪（１３０）の回転を制限し、並びに伝動輪（１３０）の嵌め溝（１３１）を横方向において位置決めする（図４）。続いて操作ハンドル（１４０）の可動端（１４２）を回して安全ピン（１５０）の相対位置を改変し、安全ピン（１５０）を巻取りロッド（１２０）の巻軸（１２１）より離脱させる（図４）。その後、この巻取りロッド（１２０）を押動して、巻取りロッド（１２０）の巻軸（１２１）を伝動輪（１３０）の嵌め溝（１３１）中より分離し、この時巻取りロッド（１２０）は支持フレーム（１７０）に伴い円弧形軌跡に沿って下に移動し、並びに所定位置に至った時に、巻取りロッド（１２０）を布と共に支持フレーム（１７０）より取り外す（図５から図６）。
【００１４】
注意すべきは、支持フレーム（１７０）が円弧形軌跡に沿って下に移動する時、油圧シリンダ（１８０）内部のピストンロッド（１８１）が徐々に伸長し、支持フレーム（１７０）をゆっくりと回転させる緩衝力を提供することである（図６）。これにより、支持フレーム（１７０）の下降の速度が緩減され、巻取りロッド（１２０）上の布（１０）の重量の過重により支持フレーム（１７０）の下降の速度が速くなり過ぎて作業員を圧傷するのを防止できる。当然、このような技術を熟知する者であれば分かるように、異なる布の重量に応じて油圧シリンダ（１８０）が提供する緩衝力の大きさを設計することができ、これにより支持フレーム（１７０）の下降の速度を調整し、布取外し作業に便利で安全とすることができる。
【００１５】
以上から分かるように、実施例中には油圧シリンダ（１８０）が増設されて支持フレーム（１７０）の下降の速度が減緩され、これにより、手作業の方式で巻取りロッド（１２０）を取り外すことができ、周知の技術のような大型のリフターを必要とせず、ゆえに工場内にリフターの移動の路線を設計する必要がなく、布巻取り機（１００）の数量を増加して全体の生産能力を高めることができる。
【００１６】
このほか、図２に示されるように、そのうち一方のサイドボックス（１１０）内に第１リミットスイッチ（１１３）が配置され、且つ該第１リミットスイッチ（１１３）は布巻取り作業を行う時、続けて操作ハンドル（１４０）と接触するよう設計され、布取外し作業を行う時、操作ハンドル（１４０）の可動端（１４２）を回す動作により、操作ハンドル（１４０）と第１リミットスイッチ（１１３）が分離されることにより、電源を自動切断して布取外し作業の安全性を高める。
【００１７】
このほか図２に示されるように、そのうち一方のサイドボックス（１１０）に、第２リミットスイッチ（１１４）が配置され、該第２リミットスイッチ（１１４）は布巻取り作業を行う時、続けてそのうち一つの支持フレーム（１７０）と接触するよう設計され、布取外し作業を行う時、巻取りロッド（１２０）を回す動作により支持フレーム（１７０）と第２リミットスイッチ（１１４）が分離し、電源を自動切断して布取外し作業の安全性を高める。
【図面の簡単な説明】
【００１８】
【図１】本発明の布取外し装置が高脚高速布巻取り機に取り付けられた立体組合せ図である。
【図２】図１と同じ視角の立体組合せ図であり、且つ特にサイドボックス内部の布取外し装置と伝動輪の接続関係を示す。
【図３】本発明の布取外し装置の部分部品分解図である。
【図４】本発明の布取外し装置の布取外し作業実行時の動作表示図である。
【図５】本発明の布取外し装置の布取外し作業実行時の動作表示図である。
【図６】本発明の布取外し装置の布取外し作業実行時の動作表示図である。
【符号の説明】
【００１９】
（１００）高脚高速布巻取り機
（１１０）サイドボックス
（１２０）巻取りロッド
（１３０）伝動輪
（１２１）巻軸
（１３１）嵌め溝
（１４０）操作ハンドル
（１４１）位置決め端
（１４２）可動端
（１１１）横向き開放溝
（１５０）安全ピン
（１７０）支持フレーム
（１６０）軸棒
（１７１）縦向きノッチ
（１８０）油圧シリンダ
（１８１）ピストンロッド
（１１２）位置決めボルト
（１３２）位置決め孔
（１１３）第１リミットスイッチ
（１１４）第２リミットスイッチ
【図１】
2007008600.tif 000003
【図２】
2007008600.tif 000004
【図３】
2007008600.tif 000005
【図４】
2007008600.tif 000006
【図５】
2007008600.tif 000007
【図６】
2007008600.tif 000008